(57)【要約】【課題】１つのスイッチで、ロックが「開」の状態、または「閉」の状態にあるかを正確に示すことができるオープニングパネル用のロックを提供する。【解決手段】第１のロッキングノッチ（７）および第２のロッキングノッチ（４）を有するラッチ（１）と、オープニングパネルを固定するために、ラッチ（１）に係合できるストライカと、第１のロッキングノッチ（７）および第２のロッキングノッチ（４）に対して歯（２）をロックするために、ラッチ（１）のロッキングノッチ（４）、（７）と協働する少なくとも１つの歯（２）を備える保持ポール（３）と、ロックが開または閉であるかを示すために、操作レバー（９）によって制御されるスイッチ（８）とを備え、ロックが閉になると、操作レバー（９）および保持ポール（３）と協働して、保持ポール（３）の歯（２）がラッチ（１）の第２のロッキングノッチ（４）と協動している時にのみ、ロックが閉であることを示す機械的手段を備えている。この機械的手段は、操作レバー（９）を所定の位置に保持して、スイッチが第１の状態から第２の状態に変化するのを防止する保持つめ（１１）を備えている。【選択図】図１
2008519184.tif 000002
【特許請求の範囲】
【請求項１】
オープニングパネル用のロックであって、
第１のロッキングノッチ７および第２のロッキング４を備えた、回動できるラッチ１と、
前記オープニングパネルを閉に維持するために、前記ラッチ１と係合できるストライカと、
前記ラッチ１の第１のロッキングノッチ７または前記第２のロッキングノッチ４をロックするために、前記ロッキングノッチ４、７と協働する少なくとも１つの歯２を備える保持ポール３と、
操作レバー９の操作により、第１の状態と第２の状態を示すことができる、２つの状態を有するスイッチ８とを備え、
このスイッチ８は、前記ロックが閉になると、前記ロックの操作レバー９および保持ポール３と協働して、前記保持ポール３の歯２が、前記ラッチ１の第２ロッキングノッチ４と協動している時にのみ、前記スイッチ８が、前記ロックが閉の状態に相当する第２の状態を示すようにする機械手段を備えており、
前記機械手段は、前記操作レバー９を所定の位置に保持できるように、前記操作レバー９を保持するための保持つめ１１を備えており、前記操作レバー９を所定の位置に保持することにより、前記スイッチ８が、前記第１の状態から、前記第２の状態に変化するのを防止するようになっていることを特徴とするロック。
【請求項２】
保持ポール３のラグ１０は、この保持ポール３の歯２が、ラッチ１の第２のロッキング固定ノッチ４をほぼ通過する時に、保持つめ１１に接触して、この保持つめ１１により、操作レバー９を解放するようになっていることを特徴とする、請求項１に記載のロック。
【請求項３】
操作レバー９は、静止位置と極限位置との間を移動することができ、この静止位置は、前記操作レバー９がスイッチ８に接触して、このスイッチ８が第１の状態になる位置であり、極限位置は、前記操作レバー９がスイッチ８に接触しないで、前記スイッチ８が第２の状態になる位置であることを特徴とする、請求項１または２に記載のロック。
【請求項４】
操作レバー９とスイッチ８との接触は、プランジャー１８を介して行われ、このプランジャー１８は、前記スイッチ８から突き出た位置と、前記スイッチ８内に引き込まれた位置との間を移動可能であることを特徴とする、請求項３に記載のロック。
【請求項５】
操作レバー９は、戻しばねの作用で移動し、これにより、前記操作レバー９が極限位置に移動するようになっていることを特徴とする、請求項３または４に記載のロック。
【請求項６】
操作レバー９は、ラッチ１が回動する平面に対して直交する平面で回動できるようになっていることを特徴とする、請求項１〜５のいずれかに記載のロック。
【請求項７】
ロックが開になると、ラッチ１は、操作レバー９を極限位置から静止位置に戻すことを特徴とする、請求項３〜５のいずれかに記載のロック。
【請求項８】
ロックは、ドアクローズ補助機構を備えており、スイッチ８が、前記ロックが「閉」の位置にあることを検出すると、このドアクローズ補助機構が停止されるようになっていることを特徴とする、請求項１〜７のいずれかに記載のロック。
【請求項９】
操作レバー９は、ロックが閉の場合にのみ、保持つめ１１によって、所定の位置に維持されることを特徴とする、請求項１〜８のいずれかに記載のロック。
【発明の詳細な説明】
【技術分野】
【０００１】
本発明は、２つのノッチを備えるラッチ用のロックに関する。詳細には、本発明は、ロックが「開」の状態だけでなく、ロックが「閉」の状態も示すスイッチを有するラッチ用のロックに関する。
【背景技術】
【０００２】
現在、ロックは、ドアが開いているか、または不完全に閉じている状態、すなわち、保持つめがラッチの第１のロッキングノッチと係合している状態と、ドアが閉じていて、保持つめがラッチの第２ロッキングノッチと係合してい状態を検出することができるようになっている。
【０００３】
従来、このタイプのロックは、２つのスイッチを備えている。一方のスイッチは、ドアが「開または不完全に閉」である状態に関連した情報を提供し、他方のスイッチは、ドアが「閉」である状態に関連した情報を提供する。
【０００４】
従来、ラッチの第１のロッキングノッチに対して閉じたドアは、スイッチが示す「ドア開」に単純に相当している。通常は、第１のスイッチは、第１のロッキングノッチと第２のロッキングノッチとの間に位置し、第２のスイッチは、保持つめ上に位置している。
【０００５】
このタイプのロックの大きな不利な点は、２つのスイッチが必要であるため、高コストとなることである。さらに、ロックのために使用できる空間が狭いにもかかわらず、２つのスイッチを動作させるのに必要な電気回路は、かなり大きい空間を占める。
【０００６】
１つのスイッチのみを用いているロックも知られている。例えば、米国特許第６，１７５，２０２号に開示されているロックは、ただ１つのスイッチで、ドアクローズ補助機構を開始または停止させるために、保持つめがラッチの第２のロッキングノッチに係合し始める直前に「閉じる前の位置」を検出することができる。
【０００７】
従来のロックの問題点は、１つのスイッチでは、ロックが開状態または閉状態であるかについての情報に対する信頼性が低いことである。これは、唯１つのスイッチでは、ロックの唯１つの状態、すなわち「開」の状態、または「閉」の状態のいずれか一方しか、正確に示すことができないからである。
【０００８】
これは、製造上の公差に関連した問題と、スイッチが、少なくとも第２のロッキングノッチの直前または直後に切り替わらなければならないという動作環境に関連した問題によるものである。
【発明の開示】
【発明が解決しようとする課題】
【０００９】
本発明は、上記の問題点を解決するためになされたものであり、簡単で効果的、かつ複雑な回路を必要としない手段を用いて、ロックが「開」の状態または「閉」の状態、すなわち、ラッチが開位置にあるか、完全に閉位置（第２の固定ノッチの上）にあるかを正確に示すことができる唯１つのスイッチを備えるオープニングパネル用のロックを提供することを目的とする。
【課題を解決するための手段】
【００１０】
本発明は、オープニングパネル用のロックを提供するもので、このロックは、第１のロッキングノッチおよび第２のロッキングノッチを備えた、回動できる固定ラッチと、オープニングパネルを閉に維持するために、前記ラッチと係合できるストライカと、第１のロッキングノッチまたは第２のロッキングノッチをロックするために、このラッチのロッキングノッチと協働する少なくとも１つの歯を備える保持ポールと、操作レバーによる操作で、第１の状態と第２の状態を示すことができる、２つの状態を有するスイッチとを備えており、このスイッチは、ロックが閉になると、ロックの操作レバーおよび保持つめと協働して、ロックが閉の状態に相当する第２の状態を、保持つめの歯がラッチの第２のロッキングノッチと協動している時にのみ、表示する機械手段を備えている。
【００１１】
一実施形態によると、機械手段は、操作レバーを保持して、この操作レバーを所定の位置に保持することができる保持つめを備えており、操作レバーを所定の位置に保持することにより、スイッチの状態が変化するのを防止する。
【００１２】
さらに、保持ポールのラグは、この保持つめの歯が、ラッチの第２のロッキングノッチをほぼ通過する時に、別の保持つめに接触し、この保持つめによって操作レバーを解放する。
【００１３】
操作レバーを保持する保持つめにより、保持つめが第１のラッチ内に進入しても、操作レバーは、スイッチを切り替えない。すなわち、保持ポールの歯が固定ラッチの第２の固定ノッチと実際に協働している場合にのみ、ロックが「閉」の状態であるという情報が得られることを意味する。
【００１４】
本発明のいくつかの好適な実施形態を単に示す図面を参照して、以下に、本発明を詳細に説明する。
【発明を実施するための最良の形態】
【００１５】
図１〜図５は、本発明によるロックが、図１に例示するラッチが開位置から、図５ａおよび図５ｂに例示するラッチが閉位置まで閉じる動きを順に示している。
【００１６】
本明細書中における文、用語「閉」は、保持ポール３の歯２が、ラッチ１の第２のロッキングノッチ４に係合して、ラッチ１を固定しているロックの状態を示すために用いる。したがって、これとは対照的に、ロックが「開」とは、保持ポール３の歯２が、第１のロッキングノッチ７と、第２のロッキングノッチ４との間に延在する、第１のロッキングノッチ７に接触しているが、または第２のロッキングノッチ４を越えている場合に、スイッチ８によって示される。したがって、このような状態では、保持ポール３の歯２が、ロッキングノッチ４、７と係合し始めることはできない。
【００１７】
従来の方式では、ロックは、ストライカ（不図示）を受容するハウジング５または凹部を有するラッチ１を備えている。図面に示すラッチ１は、その回転軸を画定している円形孔６を備えている。ラッチ１は、例えば、円形孔６へ通したピンによって、ロックのバックプレート（不図示）に固定されたロックに取り付けられている
【００１８】
ラッチ１は、ＸＯＹ平面で回動できるように取り付けられ、戻しバネ（不図示）に接続されている。この戻しバネは、ラッチ１を、保持ポール３に係合しない開位置に付勢している。
【００１９】
添付の図面に示すこの例では、固定ラッチ１の戻しバネによって加えられる力の方向は、例えば、ラッチ１の正面を示す図２ａ、図３ａ、図４ａ、および図５ａでは、時計方向であり、ラッチ１の後面を示す図２ｂ、図３ｂ、図４ｂ、図５ｂでは、反時計方向である。
【００２０】
保持ポール３も、従来のロックにおけるのと同様の部品である。保持ポール３は、ラッチ１の第１のロッキングノッチ７、または第２のロッキングノッチ４に接触または当接する歯２を有する。保持ポール３は、ラッチ１の回転平面ＸＯＹに対して平行な平面で、回動できるように取り付けられている。
【００２１】
本発明によるロックは、その「開」の状態、または「閉」の状態である作動状態と非作動状態をとることができるオン・オフスイッチ、すなわちスイッチ８を有している。
【００２２】
このスイッチ８は、プランジャー１８を有する。このプランジャー１８は、スイッチ８から突き出た位置と、スイッチ８の中に引き込まれた位置との間で、軸方向にスライドすることができる。プランジャー１８のこれらの２つの位置は、ラッチ１またはロックの開／閉の２つの状態に相当する作動／非作動の２つの状態を表す。プランジャー１８は、スイッチ８の通路をスライドできるように取り付けられており、このプランジャー１８をスイッチ８から突き出た位置に付勢するバネなど（不図示）を有する。
【００２３】
プランジャー１８の突き出た位置が、ロックが閉の状態であることを示し、プランジャー１８の引き込まれた位置が、ロックが開の状態であることを示すようにすることができる。
【００２４】
操作レバー９は、センサとも呼ばれ、プランジャー１８との接触によって、スイッチ８と協働して、プランジャー１８の状態を変更する機能を有する。したがって、操作レバー９とスイッチ８との接触は、スイッチ８から突き出た位置と、スイッチ８内に引き込まれた位置との間で移動できるプランジャー１８によって達成される。
【００２５】
したがって、操作レバー９が、図５ａおよび図５ｂに示すように、プランジャー１８を押圧していない場合、スイッチ８は、ロックが閉の状態にあることを示し、逆に、操作レバー９がプランジャー１８を押圧している場合には、スイッチ８は、ロックが開の状態を示す。
【００２６】
操作レバー９が静止位置にある場合に、プランジャー１８が押し下げられるようにすることもできる。操作レバー９は、静止位置と極限位置との間を移動することができる。この静止位置は、操作レバー９がスイッチ８に接触して、スイッチ８を第１の状態にする位置であり、極限位置は、操作レバー９がスイッチ８に接触しないで、スイッチ８を第２の状態にする位置である。
【００２７】
ラッチ１、保持ポール３、スイッチ８、および操作レバー９は、ロックにおける従来部品であり、特別な機能は備えていない。さらに、これらの部品１、３、および８の各機能は、本発明においても、従来のロックにおける機能と同一である。
【００２８】
すなわち、操作レバー９の形状および相対運動のみが、本発明に固有の特徴である。さらに、保持ポール３は、操作レバー１９を解放できるように保持する保持つめ１１に接触か、または当接するラグ１０を有する。このラグ１０は、ラッチ１および保持ポール３の回転平面ＸＯＹに対して、直角に延在している。
【００２９】
本発明によるロックは、操作レバー９と協働して、この操作レバー９をその静止位置、すなわち保持ポール３の歯２が、ラッチ１の第１のロッキングノッチ７から、第２のロッキングノッチ４に移動する間、スイッチ８が常に作動した状態に保持する機械手段を備えているという特徴を有する。
【００３０】
したがって、この機械手段すなわち保持つめ１１によって、保持ポール３の歯２が、第２の固定ノッチ４を実際に通過して、ロックすなわちラッチ１が閉位置にある場合にのみ、ロック従ってオープニングパネルが「閉」の状態であるという情報を、スイッチ８で得ることができる。
【００３１】
操作レバー９すなわちセンサは、操作レバー９がその静止位置にある場合に、スイッチ８に接触するほぼ矩形の部材１２を備えている。操作レバー９は、鼻の形態の突出部材１３も備えている。操作レバー９が、保持つめ１１によって、静止位置に保持されている場合、保持つめ１１は、操作レバー９を保持し、操作レバー９の突出部材１３は、保持つめ１１に支持される。
【００３２】
操作レバー９は、ロックが閉（すなわち、操作レバー９がラッチ１のフランク１４に当接）になる際に、ラッチ１および保持ポール３の回転平面ＸＯＹに対して垂直に、その静止位置から極限位置まで、回動できるように取り付けられている。ばねまたは押圧手段（不図示）が、操作レバー９に作用して、操作レバー９は極限位置に移動させられる。
【００３３】
操作レバー９は、ラッチ１の回転平面ＸＯＹに対して垂直な平面内で回動できる。そのため、具体的には、ロックが開になると、操作レバー９の突出部材１３がラッチ１のフランクに接触して、ラッチ１は、操作レバー９を極限位置から静止位置に戻す。
【００３４】
本発明を例示するために選択した機械手段は、２つのレバー１６、１７を備えた円形リング１５からなる保持つめ１１である。これらの２つのレバー１６、１７は、リング１５の外周面から対称に外側に延びている。
【００３５】
図２および図４から分かるように、保持つめ１１は、２つのレバーの一方１６によって、操作レバー９が回動してスイッチ８が切り替わるのを防止している。保持つめ１１は、ラッチ１および保持ポール３の回転平面ＸＯＹからずれて、平行な平面で回動することができる。保持つめ１１は、平面ＸＯＹの一側のラッチ１および保持つめ３に近接して配置されている。
【００３６】
図１では、ラッチ１は開位置にあり、保持ポール３の歯２とラッチ１のロッキングノッチ４、７と係合しておらず、操作レバー９は、その静止位置で、プランジャー１８を押圧している。この構成では、操作レバー９の突出部材１３は、固定ラッチ１の表面１９に支持され、操作レバー９を保持する保持つめ１１は作用していない。すなわち、操作レバー９が静止位置に既に位置しているため、保持つめ１１は操作レバー９を静止位置に保持する必要はない。
【００３７】
ラッチ１が、開位置から閉位置に向かって回動し始めると、保持つめ１１、より正確には、２つのレバーの一方のレバー１６が、操作レバー９の下側、より正確には、操作レバー９の突出部材１３の下側に移動して、操作レバー９を静止位置に保持する。保持つめ１１が存在しないと、操作レバー９は、ばねの付勢で極限位置に回動する。
【００３８】
実際、ラッチ１が、閉位置に向かって移動すると、操作レバー９は、従来のラッチの特殊な形状から、ラッチ１の一方の表面１９によって支持されなくなり、保持つめ１１が、操作レバー９を静止位置に保持するようになり、スイッチ８は切り替わらない。
【００３９】
図３ａおよび図３ｂに示すように、保持つめ１１は、保持ポール３の歯が、ラッチ１の第１のロッキングノッチ７と、第２のロッキングノッチ４との間を移動する間、操作レバー９を保持する。
【００４０】
操作レバー９は、保持ポールの歯２が、第２のロッキングノッチ４の先端部を越えて、この歯２が第２のロッキングノッチ４に当接して、ラッチ１を閉位置に固定するまで、静止位置に保持される。
【００４１】
図４ａおよび図４ｂに例示するように、保持つめ１１は、保持ポール３の歯２の先端部が、第２のロッキングノッチ４の先端部にほぼ面していても、なお、操作レバー９を保持している。
【００４２】
保持ポール３の歯２が第２の固定ノッチ４を通過する際に、保持ポール３のラグ１０は、保持つめ１１、より正確には操作レバー１６と反対側のレバー１７を押圧し、これにより、保持つめ１１は、操作レバー９を静止位置に保持しなくなる。
【００４３】
保持つめ１１が、操作レバー９から離れるとすぐに、操作レバー９は、極限位置に回動し、ラッチ１のフランク１４に当接する。この位置では、操作レバー９、より正確には操作レバー９の矩形部材１２は、スイッチ８と接触しなくなり、スイッチ８の状態が変化する（スイッチ８が切り替わる）。
【００４４】
したがって、本発明を例示するために選択した例では、ラッチ１が開位置にある場合、操作レバー９は、スイッチ８が閉位置になるように、スイッチ８を作動させる。スイッチ８のこの閉位置は、保持ポール３の歯２が、第２のロッキングノッチ４を通過しない限り、すなわち、ラッチ１が閉位置にならない限り維持される。したがって、ラッチ１が閉位置にある場合、操作レバー９は、スイッチ８を作動させず、スイッチ８は開位置である。
【００４５】
ロックすなわちラッチ１を開にする際は、添付の図面には示していないが、操作レバー９を、極限位置から静止位置に回動させる。図５ａおよび図５ｂに例示するように、ラッチ１が閉位置にある極限位置では、操作レバー９がラッチ１のフランク１４に当接しているため、戻しばねの力により、ラッチ１が閉位置から開位置に向かって回動し始めると、ラッチ１によって操作レバー９は駆動され、操作レバー９は静止位置に戻される。
【００４６】
具体的には、ラッチ１の回動動作により、操作レバー９の突出部材１３は、回動し、ラッチ１の表面１９に支持される。したがって、操作レバー９は、静止位置に戻る、すなわち、操作レバー９がラッチ１の表面１９に支持されると、スイッチ８のプランジャー１８は押し下げられ、操作レバー９によってスイッチ８は作動させられる。
【００４７】
ラッチ１が開になる最後で、保持ポール３のラグ１０が、保持つめ１１に当接し、保持つめ１１は操作レバー９に再び整合する。したがって、オープニングパネル、従って、ラッチ１が次に閉になるまでの間、保持つめ１１は、操作レバー９を静止位置、すなわちスイッチ８を閉の位置に保持する。
【００４８】
図６は、スイッチ８の状態が変化（０または１）して、ロックが閉または開であるかを示す瞬間を示している。図６は、本発明によるロックの特有の機能、すなわち、ロックが開の状態または閉の状態であるかを示すスイッチ８の状態の変化が、同じ瞬間には起きず、より正確には、ロックが開になる場合は、ロックが閉になる場合に比べて、ラッチ１のロッキングノッチ４、７に対する保持ポール３の歯２の位置が同じではない時に起きることを示している。
【００４９】
したがって、ロックが開の時は、保持ポール３の歯２は、ラッチ１の第１のロッキングノッチ７と、第２のロッキングノッチ４との間を通過して、閉の状態になる前まで、スイッチ８は、ロックが開の状態であることを示すが、ロックが閉の時は、保持ポール３の歯２が、第２のロッキングノッチ４と協働している時、すなわち、保持ポール３の歯２が、ラッチ１の第２のロッキングノッチ４を固定している時だけ、スイッチ８は、ロックが閉の状態であることを示す。したがって、保持つめ１１は、ロックが閉の時だけ、操作レバー９を保持する。
【００５０】
具体的には、保持ポール３の歯２は、ラッチ１の第２のロッキングノッチ４と同様に、Ｖ型の形状を有しており、これらの２つの部材４と２の先端部は、互いに向かい合っている。保持ポール３の回動により、保持ポール３の歯２の一方の表面は、第２のロッキングノッチ４の一方の表面に支持され、ラッチ１が固定された時に限り、保持ポール３の回動により、保持ポール３のラグ１０は、保持ポールのレバー１７を介して保持つめ１１を押圧し、これにより、操作レバー９は解放されて、操作レバー９は回動する。
【００５１】
操作レバー９の回動により、スイッチ８のプランジャー１８は解放され、これにより、スイッチ８の状態が変化して、ロックが開の状態であることが示される。
【００５２】
本発明によるロックによると、スイッチ８は、ロックが閉になる時、ロックが開になる時と同じ要素によって、作動、すなわち状態が変化するわけではない。具体的には、ロックが閉になる時は、保持ポール３は、そのラグ１０を介して、保持つめ１１を押圧し、これにより、操作レバー９は解放されて、スイッチ８のプランジャー１８は解放され、スイッチ８の状態が変化する。
【００５３】
ロックが開になる時は、ラッチ１により、操作レバー９は静止位置に回動し、これにより、操作レバー９は、スイッチ８のプランジャー１８を押圧し、スイッチ８の状態は変化する。
【００５４】
このようなロックによる利点は、１つのスイッチ８を使用していることによってもたらされる。特に、ロックが閉になる時の実際の動き、すなわち、保持ポール３の歯２の一方の表面が、第２のロッキングノッチ４の一方の表面に接触して、ラッチ１を固定する時の動きの検出によってもたらされる。したがって、スイッチ８は、ロックが「閉」の状態であることを検出すると、このタイプのロックに一般に備えられているドアクローズ補助機構を停止させるか、または停止信号をドアクローズ補助機構に送信する。
【００５５】
本発明によるロックによると、ドアクローズ補助機構が早く停止し過ぎるリスク、およびロックが実際には閉にならないリスクはなくなり、しかも、ロックの製造時間および組立コストを最小限にすることができる。
【図面の簡単な説明】
【００５６】
【図１】ラッチの２つのロッキングノッチが、保持ポールと協働していない、「開」の状態にあるロックの線図である。
【図２ａ】保持ポールの歯が、固定ラッチの第１のロッキングノッチを通過した直後の、「閉になる前」の状態にある、図１に例示したロックを一方向から見た線図である。
【図２ｂ】保持ポールの歯が、ラッチの第１のロッキングノッチを通過した直後の、「閉になる前」の状態にある図１に例示したロックを、別の方向から見た線図である。
【図３ａ】保持ポールの歯が、第２のロッキングノッチに近接して、第１のロッキングノッチと第２のロッキングノッチとの間に延在している、図１に例示したロックを、一方向から見た線図である。
【図３ｂ】保持ポールの歯が、第２のロッキングノッチに近接して、第１のノッチと第２のロッキングノッチとの間に延在している、図１に例示したロックを、別の方向から見た線図である。
【図４ａ】保持ポールの歯の先端部が、第２のロッキングノッチの頂部にほぼ接触している時の図１に例示したロックを、一方向から見た線図である。
【図４ｂ】保持ポールの歯の先端部が、第２のロッキングノッチの頂部にほぼ接触している時の図１に例示したロックを、別の方向から見た線図である。
【図５ａ】保持ポールの歯が、ラッチの第２のロッキングノッチを通過した直後、すなわち、ロックすなわちラッチが、「閉」の位置にある時の図１に例示したロックを、一方向から見た線図である。
【図５ｂ】保持ポールの歯が、ラッチの第２のロッキングノッチを通過した直後、すなわちロックすなわちラッチが「閉」の位置にある時の図１に示したロックを、別の方向から見た線図である。
【図６】ラッチのロッキングノッチに対する保持ポールの歯の位置によって決まるロックが開および閉である時の、本発明によるロックのスイッチの状態、すなわち閉（位置１）または開（位置０）を例示する図である。
【符号の説明】
【００５７】
１    ラッチ
２    歯
３    保持ポール
４    第２のロッキングノッチ
５    凹部
６    円形孔
７    第１のロッキングノッチ
８    スイッチ
９    操作レバー
１０    ラグ
１１    保持つめ
１２    矩形部材
１３    突出部材
１４    フランク
１５    円形リング
１６、１７    レバー
１８    プランジャー
１９    表面
【図１】
2008519184.tif 000003
【図２ａ】
2008519184.tif 000004
【図２ｂ】
2008519184.tif 000005
【図３ａ】
2008519184.tif 000006
【図３ｂ】
2008519184.tif 000007
【図４ａ】
2008519184.tif 000008
【図４ｂ】
2008519184.tif 000009
【図５ａ】
2008519184.tif 000010
【図５ｂ】
2008519184.tif 000011
【図６】
2008519184.tif 000012
【国際調査報告】
2008519184.tif 000013
2008519184.tif 000014
2008519184.tif 000015
2008519184.tif 000016